(57)【要約】フェースプレートとバックプレートを備えた照明装置およびシステム。フェースプレートまたはバックプレートは、コンセント、プラグ、またはスイッチの電気接点に接続または結合するための導電体を有するアームまたはアームの組を有する。導電体は、交流電源などの電源から電圧を受け取る。電圧調節回路は、電源の調節または変換を提供する。スイッチにより、電圧調節回路に接続された制御回路をバイパスしたり、ある動作モードから別の動作モードに切り替えたりすることができる。動作モードには、非常灯モードと常夜灯モードとがある。電源は、制御回路またはスイッチを介して、光源またはセンサに接続される。光源は、センサの出力に基づいて作動する。
2021518642.tif 000002
【特許請求の範囲】
【請求項１】
コンセントカバーであって、
フェースプレート及びバックプレートと、
前記バックプレートから延び、導電体を有する少なくとも１つのアームと、
周囲光を検出するためのセンサと、
前記コンセントカバーに取り付けられ、少なくとも１つの方向インジケータを含む光源と、
前記光源に結合され、少なくとも２つの動作モードを有する制御回路と、
前記制御回路に結合され、少なくとも２つの動作モードを切り替えるためのスイッチとを備え、
少なくとも２つの動作モードは、非常灯モードと常夜灯モードであり、
常夜灯モードの間、非常灯モードが利用され続ける、コンセントカバー。
【請求項２】
請求項１に記載のコンセントカバーにおいて、
前記バックプレートは、前記フェースプレートに取り外し可能に結合されている、コンセントカバー。
【請求項３】
請求項１に記載のコンセントカバーにおいて、
前記フェースプレートおよび前記バックプレートは、少なくとも１つのコンセント開口部を形成する、コンセントカバー。
【請求項４】
請求項１に記載のコンセントカバーにおいて、
少なくとも１つのアームは、前記バックプレートに取り外し可能に結合されている、コンセントカバー。
【請求項５】
請求項１に記載のコンセントカバーにおいて、
前記導電体は、前記制御回路に結合されている、コンセントカバー。
【請求項６】
請求項１に記載のコンセントカバーにおいて、
前記センサは、フォトダイオードである、コンセントカバー。
【請求項７】
請求項１に記載のコンセントカバーにおいて、
前記光源は、レンズに接続されている、コンセントカバー。
【請求項８】
請求項１に記載のコンセントカバーにおいて、
前記光源は、更に、少なくとも１つのＬＥＤを含む、コンセントカバー。
【請求項９】
請求項１に記載のコンセントカバーは、更に、
サウンドエミッタを含む、コンセントカバー。
【請求項１０】
請求項１に記載のコンセントカバーは、更に
前記制御回路に結合された電池を備える、コンセントカバー。
【請求項１１】
請求項１に記載のコンセントカバーは、更に、
少なくとも１つの方向インジケータの方向を選択するための第２のスイッチを備える、コンセントカバー。
【請求項１２】
請求項１１に記載のコンセントカバーにおいて、
前記第２のスイッチは、少なくとも１つの方向インジケータについて、右、左、または両方から選択する、コンセントカバー。
【請求項１３】
コンセントカバーシステムであって、
入力電源から電圧を受け取るための少なくとも１つの導電体と、
前記入力電源からの電圧を調節し、調節された電圧を生成するための電圧調節回路と、
調節された電圧からエネルギを蓄えるための電池と、
制御回路によって電池および調節された電圧に接続された光源であって、少なくとも１つの方向インジケータを含む光源と、
前記制御回路に結合され、環境条件を検出するための少なくとも１つのセンサと、
前記制御回路に接続され、前記光源、前記電池、および前記調節された電圧の間の接続を制御するためのスイッチと
を備える、コンセントカバーシステム。
【請求項１４】
請求項１３に記載のコンセントカバーシステムにおいて、
前記電圧調節回路は、電圧調節器を含む、コンセントカバーシステム。
【請求項１５】
請求項１３に記載のコンセントカバーシステムにおいて、
前記少なくとも１つの導電体は、前記電圧調節回路に結合されている、コンセントカバーシステム。
【請求項１６】
請求項１３に記載のコンセントカバーシステムにおいて、
前記調節された電圧は、ＤＣ電圧である、コンセントカバーシステム。
【請求項１７】
請求項１３に記載のコンセントカバーシステムにおいて、
前記制御回路は、少なくとも２つの動作モードを有する、コンセントカバーシステム。
【請求項１８】
請求項１７に記載のコンセントカバーシステムにおいて、
前記少なくとも２つの動作モードは、非常灯モードおよび常夜灯モードである、コンセントカバーシステム。
【請求項１９】
請求項１８に記載のコンセントカバーシステムにおいて、
前記非常灯モードは、更に、前記電池を前記光源に結合することを含む、コンセントカバーシステム。
【請求項２０】
請求項１３に記載のコンセントカバーシステムは、更に、
少なくとも１つの方向インジケータの方向を選択するための第２のスイッチを備える、コンセントカバーシステム。
【発明の詳細な説明】
【技術分野】
【０００１】
本開示は、発光デバイスに関する。より具体的には、本開示は、照明付きコンセントカバーのための装置及びシステムに関する。
【背景技術】
【０００２】
常夜灯や非常用照明装置は何年も前から身の回りにあるが、それぞれに欠点がある。特に、常夜灯では、少なくとも1つのコンセントまたはソケットが使用されるが、場合によっては、両方のコンセントが常夜灯で使用される。これらの照明も非常に熱くなる可能性があり、子供の毛布やぬいぐるみなど、部屋にある物が常夜灯に長時間接触すると、火災を引き起こすおそれがあり、実際に火災が発生する可能性がある。非常灯の場合、通常、停電以外の目的で光を利用できる操作方法はない。さらに、これらの照明は、通常、従来の電気プラグコンセントまたはソケットの両方ではないにしても、少なくとも1つのコンセントを使用する。
【０００３】
これらの装置の更なる欠点の１つとして、常夜灯および非常灯の二重操作のための方法または手段がないことがある。多くの場合、常夜灯は、停電時に電力を供給できないコンセントまたはソケットに差し込む必要があるため、非常灯として機能することができない。多くの常夜灯は、光検出器または太陽電池を含まないため、昼光または他の光源がいつ常夜灯をオフにし、およびまたは常夜灯を冷やすのに十分であるのかを判断できない。逆に、非常灯は、常夜灯として使用するのに役立たない。非常灯は、停電を検出する回路と共に、停電時に強力で高輝度な光を生成するのに利用される大型の電池または他のエネルギー源を必要とするためである。これらの非常灯は、多くの場合、建物全体の電池バックアップシステムにまとめて接続されている。しかしながら、非常灯は、電池バックアップシステムに接続されていない通路や部屋に照明を提供することはできない。
【発明の概要】
【発明が解決しようとする課題】
【０００４】
先行技術の不利な点が解消された照明付きコンセントカバーのための装置およびシステムを有することは有利であり、本開示は、そのような装置およびシステムを提供する。
【課題を解決するための手段】
【０００５】
本開示は、照明装置に関する。照明装置は、家庭、企業、保管場所、および電力を供給できるあらゆる場所で利用される。照明装置は、電源から電力信号を受信することができる。したがって、一態様では、本開示は、コンセントまたはソケットカバー内に組み込まれた照明装置に関する。照明装置は、プラグ、コンセント、およびまたはスイッチの接点を介してコンセントから電力を受け取ることができる。
【０００６】
別の態様では、本開示は、コンセントまたはソケットカバー内に組み込まれた常夜灯装置に関する。小さな子供や夜中に起きていなければならない人などに少量の光を提供する。さらに別の態様では、本開示は、停電時に使用するための非常灯を対象とする。停電が発生すると、照明装置は、照明装置が配置された領域および環境に光を提供するために光源を作動させる。
【図面の簡単な説明】
【０００７】
本開示の特徴であると考えられる新規の特徴は、添付の特許請求の範囲に記載されている。しかしながら、本開示、ならびに好ましい使用形態、その目的および利点は、添付の図面と併せて読むことにより、例示的な実施形態の以下の詳細な説明を参照することで、最もよく理解される。
【図１Ａ】コンセントカバーを正面から見た斜視図。
【図１Ｂ】コンセントカバーを背面から見た斜視図。
【図２】コンセントカバーを背面から見た分解図。
【図３】コンセントカバーの正面図。
【図４】コンセントカバーの側面図。
【図５】光源の図。
【図６Ａ】別例のコンセントカバーを背面から見た斜視図。
【図６Ｂ】別例のコンセントカバーを背面から見た斜視図。
【図７】発光装置のブロック図。
【図８Ａ】発光装置の一部の概略図。
【図８Ｂ】発光装置の一部の概略図。
【図９Ａ】方向インジケータを備えたコンセントカバーを正面から見た斜視図。
【図９Ｂ】方向インジケータを備えたコンセントカバーを背面から見た斜視図。
【図１０】方向インジケータを備えたコンセントカバーの正面図。
【図１１】コンセントカバーシステムのブロック図。
【図１２】方向インジケータを備えたコンセントカバーの正面図。
【図１３Ａ】コンセントカバー用の光源の図。
【図１３Ｂ】コンセントカバー用の延長部を備えた光源の図。
【発明を実施するための形態】
【０００８】
次に、本開示の一実施形態について説明する。図１Ａは、コンセントカバー１００Ａを正面から見た斜視図である。コンセントカバー１００Ａは、フェースプレート１０２を有する。フェースプレート１０２は、コンセント開口部、または一組のコンセント開口部１１０Ａおよびまたは１１０Ｂを有する。本開示の一実施形態では、フェースプレート１０２は、コンセント用のフェースプレートであるが、他のフェースプレートおよびまたはカバーがコンセントカバー１００Ａと置き換えられる。他のフェースプレートおよびまたは開口部は、コンセント、照明スイッチ、警報ボックス、サーモスタット、およびまたは電力に接続された物体またはデバイスを含むが、これらに限定されない。
【０００９】
フェースプレート１０２およびまたはバックプレート（図示せず）は、コンセントカバー１００Ａから延びるか、コンセントカバー１００Ａに固定されるか、取り付けられるアーム１０６を有する。また、アーム１０６は、電源、即ち、常夜灯およびまたは非常灯回路に電力を供給するための電気エネルギーに接続される導電体を有する。コンセントカバー１００Ａは、固定開口部１１２を介してコンセントまたはスイッチに接続される。固定開口部１１２は、ねじ、釘、クリップ、接着剤、のり、合成材料、蟻継ぎ、舌と溝、支柱と穴、スナップまたはスナップに類似の接続といった任意の固定、取り付け手段または方法、あるいはそれらの組み合わせを可能にする。
【００１０】
図１Ｂは、コンセントカバー１００Ｂを背面から見た斜視図である。コンセントカバー１００Ｂは、フェースプレート１０２を有する。また、コンセントカバー１００Ｂは、本開示の一実施形態では、取り外し可能に結合されるバックプレート１０４を有する。バックプレート１０４は、固定具１０３Ａ、１０３Ｂ、１０３Ｃ、およびまたは１０３Ｄ（集合的には１０３）の組を介して、フェースプレート１０２に対し取り外し可能に結合される。フェースプレート１０２およびバックプレート１０４は、ねじ、釘、クリップ、接着剤、のり、合成材料、蟻継ぎ、舌および溝、支柱および穴、スナップまたはスナップに類似の接続といった他の固定具、他の取り付け手段または方法、あるいはそれらの任意の組み合わせにより、取り外し可能に結合される。
【００１１】
バックプレート１０４は、第１のアーム１０６Ａおよびまたは第２のアーム１０６Ｂ（集合的にはアーム１０６、または少なくとも１つのアーム）を有する。アーム１０６は、バックプレート１０４から延びるか、固定具を介して、バックプレート１０４に取り付けられるか、およびまたは固定される。アーム１０６は、アーム１０６内に取り付けられるか、固定されるか、収容される導電体１０８（または少なくとも１つの導電体）を有する。導電体１０８は、バンプ、正方形、ばね、ブロック、タブ、または他の導電性材料およびまたは形状を有するが、これらに限定されない。導電体１０８は、電源または電気信号に取り付けられるか、接続される。本開示の一実施形態では、電源または電気信号は、交流（「ＡＣ」）電圧である。
【００１２】
電源およびまたは電気信号は、従来のコンセントまたはスイッチカバーまたはフェースプレートを、コンセントカバー１００Ｂと置き換えることから生じる。コンセントおよびまたはスイッチは、コンセント開口部１１０Ａおよびまたは１１０Ｂを通って配置される。異なる構成のコンセント開口部を利用することもできる。例えば、シングルプラグまたはスイッチ構成、ダブルプラグまたはスイッチ構成、トリプルプラグまたはスイッチ構成、クワッドプラグまたはスイッチ構成、およびまたは特定の構成で使用されるプラグまたはスイッチが挙げられるが、これらに限定されない。コンセントカバー１００Ｂは、固定開口部１１２を介してコンセントまたはスイッチに取り付けることができる。異なるプラグおよびまたはスイッチ構成を利用する場合には、追加の開口部が利用される。
【００１３】
本開示の一実施形態では、スイッチ１４０は、コンセントカバー１００Ｂの複数の動作モードを切り替えたり、シフトしたりするために利用される。複数の動作モード間の切り替えまたはシフトは、瞬間的またはほぼ瞬間的な切り替えまたはシフトである。スイッチ１４０は、フェースプレート１０２およびまたはバックプレート１０４内に取り付けられるか、固定されるか、およびまたは収容される。動作モードには、常夜灯モードおよびまたは非常灯モードが含まれるが、これらに限定されない。
【００１４】
図２は、コンセントカバー２００を背面から見た分解図である。コンセントカバー２００は、フェースプレート２０２およびまたはバックプレート２０４からなる。フェースプレート２０２およびまたはバックプレート２０４は、アーム２０６を接続、固定、取り付け、およびまたは備える。アーム２０６は、その中に接続されるか固定されるか、取り付けられるか、およびまたは収容される導電体２０８を有する。アーム２０６およびまたは導電体２０８は、それらの中に固定されるか、取り付けられるか、およびまたは収容されるワイヤまたは他の導電性材料を有する。
【００１５】
コンセントカバー２００は、光を発生し、生成し、およびまたは放出するための光源２１４を有する。制御回路２１６は、光源２１４の動作時およびまたは光源２１４が動作中であれば、制御可能である。制御回路２１６は、電池２１８に接続される。電池２１８は、電源から入力されるエネルギーを貯蔵可能である。光源２１４、制御回路２１６およびまたは電池２１８は、コンセントカバー２００内に接続されるか、取り付けられるか、固定されるか、およびまたは収容される。例えば、本開示の一実施形態では、光源２１４、制御回路２１６、およびまたは電池２１８は、フェースプレート２０２内に取り外し可能に接続されるか、取り付けられるか、固定されるか、およびまたは収容される。あるいは、光源２１４、制御回路２１６、およびまたは電池２１８は、バックプレート２０４内に取り外し可能に接続されるか、取り付けられるか、固定されるか、およびまたは収容される。
【００１６】
電池２１８は、制御回路２１６を介して、電源およびまたは電気信号に接続される。また、電池２１８は、ワイヤまたは他の導電性材料を介して、導電体２０８に直接または間接的に接続される。電池２１８は、エネルギーおよびまたは電力を光源２１４に提供する。本開示の一実施形態では、光源２１４は、電源およびまたは電気信号に直接または間接的に接続される。光源２１４は、フェースプレート２０２およびまたはバックプレート２０４からなる開口部が形成されるように、フェースプレート２０２およびまたはバックプレート２０４内に収容されるか、封入される。制御回路２１６は、コンセントカバー２００が常夜灯または非常灯の動作モード、あるいは他の動作モードで動作できるかどうかを制御するスイッチ２４０を有する。
【００１７】
図３は、コンセントカバーの正面図である。コンセントカバー３００は、フェースプレート３０２を有する。フェースプレート３０２は、カバー、スイッチまたはコンセントフェースプレート、またはスイッチまたはコンセントカバーとしても説明される。フェースプレート３０２は、少なくとも１つのコンセント開口部３１０Ａおよびまたは３１０Ｂ（集合的には３１０）を有するか、形成する。長方形の楕円形または長方形として図示される一方で、開口部には、任意の形状が利用されるか、およびまたは、正方形、球体、円柱、多角形、楕円、三日月形、立方体、直方体、楕円体、円錐、プリズム、ピラミッド、またはそれらの組み合わせなどの開口または開口部が挙げられるが、これらに限定されない。
【００１８】
フェースプレート３０２は、固定開口部３１２を有するか、形成する。固定開口部３１２は、ねじ、ボルト、釘、接着剤、のり、合成固定具、金属製固定具、木製固定具、合金製固定具、他の形態または種類の固定具、およびまたはそれらの任意の組み合わせなどの固定具を配置するのに利用される。フェースプレート３０２は、光源３１４を有する。光源３１４は、一実施形態では、照明バーを含むか、およびまたは、ＬＥＤ、およびまたはＯＬＥＤ（または少なくとＬＥＤまたはＯＬＥＤ）などの電球または発光ダイオードの組み合わせを含むが、これらに限定されない。インジケータ３２０、およびまたはセンサ３２２は、フェースプレート３０２およびまたはバックプレート（図示せず）内に収容されるか、フェースプレート３０２およびまたはバックプレート（図示せず）により形成される開口、ハウジング、およびまたは空間を有する。インジケータ３２０は、電源がコンセントカバー３００に電力およびまたはエネルギーを供給しているとき、電池が動作中であるとき、およびまたはコンセントカバーがどのモードで動作しているかを、ユーザに通知するために利用されるが、これらに限定されない。インジケータ３２０は、フェースプレート３０２、およびまたはバックプレート３０４により形成される開口部に配置されるか、直接またはレンズを通してフェースプレート３０２に取り付けられる。センサ３２２（または少なくとも１つのセンサ）は、周囲の光量、局所環境における他の環境条件を検出およびまたは測定するための光センサ、光抵抗器、フォトダイオード、およびまたはフォトトランジスタを含むが、これらに限定されない。センサ３２２は、フェースプレート３０２、およびまたはバックプレート３０４により形成される開口に配置されるか、環境条件に応答するように直接またはレンズを通してフェースプレート３０２に固定される。一実施形態では、センサ３２２として、少なくとも１つのセンサまたは他の環境センサが挙げられる。例えば、湿度、温度、空気の品質、二酸化炭素、一酸化炭素、二酸化窒素、振動、加速度計、マイクロフォン、音検出、ガスセンサ、圧力センサ、傾斜センサ、天気、およびまたは環境事象の信号または表示を含むか提供する他のセンサが挙げられるが、これらに限定されない。
【００１９】
サウンドエミッタ３４１は、フェースプレート３０２およびまたはバックプレート（図示せず）内に収容されるか、フェースプレート３０２およびまたはバックプレート（図示せず）により形成される開口、ハウジング、およびまたは空間を有する。サウンドエミッタ３４１は、制御回路（図示せず）に接続されることで、特定の時間、コンセントカバー３００から音を連続的または断続的に鳴らす。特定の時間として、例えば、電源障害が発生して電源が復旧しなかった後の１０秒、１５秒、３０秒、１分、２分、５分、１０分、１５分、およびまたは３０分後の間であるが、これらに限定されない。
【００２０】
本開示の一実施形態では、コンセントカバー３００は、第１の角度部３２４、上側角度部３２６、第２の角度部３２８、底側角度部３３０、上側平面部３３２、底側平面部３３４、中央平面部３３６からなる前面３３８を有する。角度部３２４、３２６、３２８、およびまたは３３０は、本開示の一実施形態では、フェースプレート３０２の外側境界を提供する。ここで、平面部３３２、３３４、およびまたは３３６は、コンセント開口部３１０のための領域を提供する。別例として、角度部は、丸みを帯びた形状、平面状、およびまたは四角状、または任意の他の装飾的な外径およびまたは形状であってもよい。一方、平面は、別例として、角度が付けられた形状、丸みを帯びた形状、テクスチャー形状、または他の装飾的な外形およびまたは形状であってもよい。
【００２１】
図４は、コンセントカバー４００の側面図である。コンセントカバー４００は、フェースプレート４０２、およびまたはバックプレート４０４を有する。フェースプレート４０２、およびバックプレート４０４は、固定具（図示せず）を介して一体に接続されるか、結合される。また、フェースプレート４０２、およびまたはバックプレート４０４は、コンセント開口部４１０Ａ，４１０Ｂを形成するか、提供する。アーム４０６は、フェースプレート４０２またはバックプレート４０４に接続されるか、固定されるか、およびまたは結合される。本開示の別の実施形態では、アーム４０６は、フェースプレート４０２、またはバックプレート４０４と共に構成されるか、製造されるか、形成される。
【００２２】
導電体４０８は、アーム４０６内に収容されるか、アーム４０６に固定されるか、接続されるか、結合される。導電体４０８は、丸いボタン、または導電体４０８を電源が接触、結合、およびまたは接続することを可能にする任意の数の形状または外形を有する突起である。また、導電体４０８は、導電体４０８を制御回路４１６、およびまたは電池４１８に結合または接続するために、導電体４０８に結合されたワイヤまたは他の導体を有する。制御回路４１６は、コンセントカバー４００、およびまたは光源４１４の動作モード（または少なくとも１つの動作モード）を制御する。光源４１４は、任意の数の方向に光を生成または放出し、一実施形態では、光源４１４は、下向きまたは０度の位置４１５Ａで光を生成することができる。他の実施形態では、光は、水平または９０度の位置４１５Ｃ、または３０度または４５度に限定されないが、任意の数の角度または位置４１５Ｂで生成される。位置は、下向きの位置を参照するか、およびまたは下向きの位置を基準にしており、角度は、コンセントカバー４００の上方および前方（前側）に回転弧状に延びている。たとえば、コンセントカバーがコンセントに配置され、光源がコンセントカバーの下側にある場合（つまり、光源が床面を向いて配置されている場合）、これらの様々な位置にある照明が、下向きの位置で幅木を照らし、水平位置で廊下または部屋の反対側まで照らす。動作モード（または少なくとも２つの動作モード）は、常夜灯モード、およびまたは非常灯モードを含むことができるが、これらに限定されない。これらの動作モードは、スイッチ４４０によって切り替えられるか、およびまたは共に追加される。
【００２３】
本開示の一実施形態では、コンセントカバー４００は、常夜灯モードであることで、部屋または場所の照明が十分でないことを示すセンサに基づき、光源４１４により光を生成可能である。常夜灯モードは、他の実施形態における非常灯モードを含むか、または非常灯モードなしで排他的に使用される。非常灯モードは、導電体４０８により制御回路４１６に電力またはエネルギーが提供されていないときに作動する。動作モードは、排他的または組み合わせて使用できる。
【００２４】
図５は、光源５１６の図である。光源は、コンセントカバー（図示せず）に接続されるか、結合されるか、およびまたは固定される。本開示の一実施形態では、光源５１６は、発光デバイス内に、クリップ５４２Ａおよびまたはクリップ５４２Ｂを介してクリップされる。また、光源５１６は、少なくとも１つの電球を有し、ここで、電球は、電球５４４Ａ、電球５４４Ｂ、およびまたは電球５４４Ｃ（総称して電球５４４）として示される。これらの電球として、ＬＥＤ、ＯＬＥＤ、および他の種類または形態の電球、またはそれらの任意の組み合わせといった任意の数の発光源を含むが、これらに限定されない。例えば、少なくとも１つの電球は、少なくとも１つのＬＥＤである。これらの電球は、様々な角度に設定されることで、異なる角度およびまたは光の広がりを発生する。本開示の別の実施形態では、各電球を異なる角度に設定でき、例えば、電球５４４Ａを下向きまたは０度の位置に設定する一方で、電球５４４Ｂを３０度の位置に設定するか、およびまたは電球５４４Ｃを４５度の位置に設定する。別の実施形態では、各電球は、それらの構造または製造業者に基づいて、様々な程度の配光を有することができる。例えば、電球５４４Ａおよびまたは５４４Ｃは、１５度の配光角を有する一方で、電球５４４Ｂは、３０度の配光角を有し、より広く、より広範囲な配光を可能にする。別の実施形態では、レンズ５４６は、電球５４４の配光を制御するか、およびまたは変化させるために利用される。一方で、レンズ５４６は、分割されるか、部分に分けられるか、およびまたは複数の部分を有することで、各電球の配光をそれぞれ変更可能としてもよい。
【００２５】
図６Ａは、別例のコンセントカバー６００Ａを背面から見た斜視図である。コンセントカバー６００Ａは、フェースプレート６０２、およびまたはバックプレート６０４を有する。フェースプレート６０２、およびバックプレート６０４は、固定具を介して一体に取り付けられるか、接続されるか、およびまたは結合される。フェースプレート６０２およびまたはバックプレート６０４は、スイッチ開口６５０の提供およびまたは形成を可能にすることで、フリップスイッチ、トグルスイッチ、単極スイッチ、二極スイッチなどに限定されない、光スイッチを可能にする。
【００２６】
フェースプレート６０２、およびまたはバックプレート６０４は、それらに取り付けられ、結合され、接続され、およびまたは取り付けられた第１のアーム６５２または第２のアーム６５４を有する。本開示の一実施形態では、第１のアーム６５２は、導電体（図示せず）を介して、１つの導電体または電源ノードに接触するか、およびまたは結合することができる。同様に、第２のアーム６５４は、導電体（図示せず）を介して、１つの導電体または電源ノードに接触するか、およびまたは結合することができる。
【００２７】
図６Ｂは、別例のコンセントカバーを背面から見た斜視図である。コンセントカバー６００Ｂは、フェースプレート６０２、およびまたはバックプレート６０４を有する。フェースプレート６０２、およびバックプレート６０４は、固定具を介して一体に取り付けるか、接続されるか、およびまたは結合される。フェースプレート６０２およびまたはバックプレート６０４は、スイッチまたはコンセント開口部６６０の提供およびまたは形成を可能にすることで、ロッカースイッチ、スイッチおよびまたはセンサ、フリップスイッチ、トグルスイッチ、単極スイッチ、二極スイッチなどに限定されない、光スイッチを可能にする。
【００２８】
フェースプレート６０２、およびまたはバックプレート６０４は、それらに取り付けられ、結合され、接続され、およびまたは取り付けられた第１のアーム６６２または第２のアーム６６４を有する。本開示の一実施形態では、第１のアーム６６２は、導電体（図示せず）を介して、１つの導電体または電源ノードに接触するか、およびまたは結合することができる。同様に、第２のアーム６６４は、導電体（図示せず）を介して、１つの導電体または電源ノードに接触するか、およびまたは結合することができる。
【００２９】
図７は、コンセントカバーシステム７００のブロック図である。コンセントカバーシステム７００は、本開示の一実施形態では交流またはＡＣ電源である入力電源７０２を有する。本開示の一実施形態では、入力電源７０２は、少なくとも１つの導体（図示せず）によって受け取られる。入力電源７０２は、入力電源７０２からの入力電圧を調節するための電圧調節回路７０４によって、調節およびまたはＤＣ動作電圧に変換される。電圧調節回路７０４の出力は調節された電圧７０６となり、調節された電圧は電池７０８、制御回路７１０、およびまたはスイッチ７１２に送信されるが、これらに限定されない。電池７０８は、本開示の別の実施形態では、調節された電圧７０６を利用できる電池充電回路に結合されるか、およびまたは接続される。電池７０８を作動させるか、およびまたは光源と電池７０８との間の接続または結合を開くことによって、制御回路７１０により、停電中にコンセントカバーシステム７００が光源を提供することを可能にする。制御回路７１０は、本開示の一実施形態では、スイッチ７１２を含む。
【００３０】
スイッチ７１２は、電池およびまたは制御回路７１０をバイパスし、調節された電圧が入力電圧ノード７１４に渡されることを可能にする。スイッチ７１２は、光源７１８、電池７０８、および調節された電圧７０６の間の接続を制御することを可能にする。入力電圧ノード７１４は、センサ７１６、およびまたは光源７１８に電圧を提供する。センサ７１６は、光源７１８に接続されるスイッチ７２０に接続され、これらのすべては、接地７２２に結合される。センサ７１６として、光センサ、光抵抗器、フォトダイオード、およびまたはフォトトランジスタが挙げられるが、これらに限定されない。
【００３１】
接地７２２は、回路内の任意の数の箇所に配置されるか、複数の接地によっても説明できる。スイッチ７１２は、コンセントカバーシステムが配置される部屋または環境内で検出される光のレベルが十分である場合、電流が光源７１８を通過するのを防ぐことができる。例えば、常夜灯モードで利用される場合、センサ７１６は、追加の光があり、十分な量の太陽光が部屋に入った場合に、光源が動作するのを防ぐことができる。あるいは、非常灯モードでは、センサ７１６を利用して電池７０８を節約し、光源を最大日数、時間、およびまたは分の間、利用できるようにすることができる。本開示の別の実施形態では、電池およびまたは制御回路は、非常灯回路と見なすことができる。一方で、スイッチ７１２、およびまたはセンサ７１６は、常夜灯回路と見なすことができる。
【００３２】
図８Ａは、コンセントカバーシステム８００Ａの一部の概略図である。コンセントカバーシステムは、高電源入力８０２Ａおよび低電源入力８０２Ｂを有する。別例では、低電源入力８０２Ｂが接地８６０と見なされると理解すべきである。しかしながら、別例では、それは、ＡＣ電圧の中性、または第２の「ホット」ラインである。高電源入力８０２Ａは、ヒューズ８０４に結合することができる。ヒューズ８０４は、過電流およびまたは過電圧が回路内で発生するのを防ぐのに十分なサイズを有する。
【００３３】
ヒューズ８０４には、抵抗８０６が接合され、抵抗は、少なくとも１つの抵抗器を有し、または特定の所望の抵抗値を形成するために直列およびまたは並列の抵抗器の組み合わせを有する。抵抗８０６は、抵抗、およびまたはコンデンサ、またはＲＣブロック８０８に結合される。ＲＣのＲは、抵抗または抵抗器を表す。Ｃは、静電容量またはコンデンサを表す。並列構成で示されている間の抵抗と静電容量は、直列であるか、所望の抵抗と静電容量を得るための直列と並列の組み合わせである。
【００３４】
ＲＣブロック８０８は、ダイオード８１０Ａおよびまたはダイオード８１０Ｃの間に結合される。一方で、低電源入力８０２Ｂは、ダイオード８１０Ｂおよびまたはダイオード８１０Ｄの間に結合される。ダイオード８１０Ａ、８１０Ｂ、８１０Ｃ、およびまたは８１０Ｄは、集合的には、ブリッジ整流器８１０である。ブリッジ整流器８１０を利用して、ＡＣ電圧をＤＣ電圧に変換することができる。ブリッジ整流器８１０の出力は、ダイオード８１２を含む。本開示の一実施形態では、ダイオード８１２は、ツェナー・ダイオード、およびまたは直列およびまたは並列構成であるコンデンサ８１４、あるいはそれらの組み合わせである。電圧調節器８１８を利用して特定の電圧を維持するか、およびまたはブリッジ整流器からのＤＣ電圧を調節することができる。コンデンサ８１６は、電圧調節器８１８の入力をコンデンサ８１６を介して接地することによって、電圧調節器８１８の入力からの過渡現象を平滑化または除去するために利用される。同様に、コンデンサ８２０Ａを利用して、電圧調節器８１８の出力をコンデンサ８２０Ａを介して接地することによって、電圧調節器８１８の出力からの過渡現象を平滑化または除去することができる。ノードＡは、ノードＡと同じ電圧または電流を有する回路全体に亘る接続またはノードへの参照として使用される。
【００３５】
図８Ｂは、コンセントカバーシステム８００Ｂの一部の概略図である。図８Ｂに示されるコンセントカバーシステム８００Ｂの部分は、ノードＡによって図８Ａに示されるコンセントカバーシステム８００Ａの部分に接続されるか、およびまたは結合される。これらの部分は、１つの回路であるか、およびまたは一体に結合された複数の回路である。
【００３６】
ノードＡは、電圧入力端子で調節された電圧を受け取ることのできる電池充電器８２２に結合されている。本開示の別の実施形態では２つ以上の電池を利用できるため、電池充電器８２２の出力電圧は、電池８３０、または少なくとも１つの電池に達することができる。電池充電器８２２は、追加の入力およびまたは出力を有する。これらの入力および出力は、抵抗８２４、抵抗８２６、およびまたはコンデンサ８２０Ｂを介して接地に接続されるか、結合される。電池充電器８２２の出力は、電池８３０に接続または結合されている間、トランジスタ８３２に結合されるか、接続される。第２のトランジスタ８３４は、電池充電器８２２の出力に直接または間接的に結合される。
【００３７】
トランジスタ８３２は、電池充電器８２２、ノードＡ、およびまたはトランジスタ８３４の出力に結合される。トランジスタ８３２は、追加の電圧およびまたは電流がノード８６８で電池８３０に接続または結合されないように構成される一方で、電池８３０を光源に接続または結合することも可能にする。トランジスタ８３４により、電流およびまたは電圧がトランジスタ８３２，８３４の間にある感知ノード８６４で感知または見られることを可能にする。第１のダイオード８３８はノードＡに結合される一方で、第２のダイオード８４０は感知ノード８６４に結合される。第１のダイオード８３８および第２のダイオード８４０は、本開示の一実施形態では、発光ダイオードまたはＬＥＤであるが、他の発光要素に置き換えることもできる。第１のダイオード８３８は、コンセントカバーシステム８００Ａ，８００Ｂが電源またはＡＣ電圧に接続およびまたは結合されたときに表示を提供する。第２のダイオード８４０は、停電の場合で電池が利用されているときに表示を提供する。
【００３８】
トランジスタ８３４は、ノード８６６で、センサ８４２、スイッチ８５４、およびまたは光源８５２に結合される。センサ８４２は、光センサ、光抵抗器、フォトダイオード、フォトトランジスタ、または他の形態の光検出センサである。センサ８４２は、光の検出を提供するか、およびまたは光がセンサによって検知されるように電流が通過することを可能にする。センサ８４２は、比較器８４４、およびまたはＲＣブロック８４６に結合される。ＲＣブロック８４６を利用して、比較器８４４の入力ノード上の電流およびまたは電圧の量を平滑化または制限する。比較器８４４は、少なくとも２つの入力、および少なくとも１つの出力を有する。第１の入力は、センサ８４２に結合される。第２の入力は、浮動したままにするか、それに結合されたヌル値を有し、出力は、トランジスタ８２８、トランジスタ８５０、およびまたは抵抗８４８に結合される。比較器の出力は、センサ８４２が局所環境内で十分な光を感知しなくなったことを示すときに始動させることができ、あるいは、センサ８４２が局所環境内で十分な光を感知したことを示すときにも始動させることができる。比較器８４４の出力は、トランジスタ８５０に対して光源８５２を接地に結合させることで、電流が光源８５２を通過することを可能にする。
【００３９】
光源８５２は、少なくとも１つの電球から構成され、ここで、少なくとも１つの電球は、発光ダイオードまたはＬＥＤ、あるいは有機ＬＥＤまたはＯＬＥＤである。本開示の一実施形態では、光源８５２は、電球８５３Ａ、電球８５３Ｂ、およびまたは電球８５３Ｃから構成される。光源８５２は、トランジスタ８５０、スイッチ８５４、センサ８４２、およびまたはトランジスタ８３４に結合される。スイッチ８５４は、調節された電圧が光源８５２に直接または間接的に結合されることを可能にする。スイッチ８５４は、スイッチにより調節された電圧が光源に接続されるか光源から切断されるかを示すためにユーザが動かすことができる物理的なスイッチである。スイッチが切断位置にあるとき、コンセントカバーシステム８００Ａ，８００Ｂは非常灯モードにある。ここで、コンセントカバーシステム８００Ａ，８００Ｂは、電池８３０、トランジスタ８３２，８３４、および光源８５２に限定されないが、これらを含む非常灯回路を利用することができる。スイッチ８５４が接続状態にあるとき、コンセントカバーシステム８００Ａ，８００Ｂは、常夜灯モードで動作する。ここで、コンセントカバーシステム８００Ａ，８００Ｂは、センサ８４２、比較器８４４、および光源８５２に限定されないが、これらを含む常夜灯回路である。
【００４０】
スイッチは、ダイオードブロック８５６に結合される。ダイオードブロック８５６は、電圧およびまたは電流が、電圧調節器（図示せず）の調節された電圧出力に見られないようにするために利用される。電池充電器８２２は、抵抗器８２６、およびまたはトランジスタ８２８に接続されるか、結合された入力を有する。本開示の一実施形態では、トランジスタ８２８は、比較器８４４の出力に結合される。ノードＡは、ノードＡ８５８として参照される。
【００４１】
図９Ａは、方向インジケータ９８２を備えたコンセントカバー９００Ａの図である。コンセントカバー９００Ａは、フェースプレート９０２を有する。フェースプレート９０２は、コンセント開口部９１０Ａおよびまたは９１０Ｂ（集合的には９１０）を形成する。いくつかの実施形態では、コンセント開口部９１０は、スイッチ開口部、調光器開口部、ＵＳＢコンセント開口部、オーディオコネクタ開口部、ビデオコネクタ開口部、およびまたはフェースプレート９０２によって形成される他の開口部を含む。他の開口部により、ケーブルおよびまたはコネクタがフェースプレートを通過すことが可能になる。また、コンセントカバー９００Ａは、アーム９０６を有する。少なくとも１つの実施形態では、アーム９０６は、その中に収容された導体を含み、これにより、コンセントカバー９００Ａと電気システム（図示せず）との結合が可能になる。電気システムは、ＡＣおよびまたはＤＣの電圧または電流を含む住宅およびまたは建物の電気システムである。コンセントカバー９００Ａは、固定具（図示せず）および固定開口部９１２を介してコンセント（図示せず）に結合することができる。
【００４２】
少なくとも１つの実施形態では、コンセントカバー９００Ａは、光源９１３を有する。光源９１３は、少なくとも１つの発光ダイオード（ＬＥＤ）を含む。いくつかの実施形態では、光源９１３は、方向インジケータ９８２を有する。方向インジケータ９８２は、コンセント開口部９１０を横切る軸の右方向または左方向、およびまたはコンセントカバー９００Ａの右方向または左方向を示す矢印を含む。方向インジケータ９８２は、双方向であるか、およびまたは両方向が出口に利用できることを示す。または、方向インジケータ９８２は、コンセントカバー９００Ａが設置される前にユーザによって選択された一つの方向を含む。少なくとも１つの例では、コンセントカバー９００Ａは、テストボタン９９０を有する。テストボタン９９０は、ＡＣ電源または電池など、コンセントカバー９００Ａに結合された電源をテストするためのテスト回路（図示せず）を含む。テストボタン９９０は、電源およびまたは電池に結合される。
【００４３】
図９Ｂは、コンセントカバー９００Ｂの背面斜視図である。コンセントカバー９００Ｂは、バックプレート９０４を含む。バックプレート９０４は、フェースプレート（図示せず）に成形されるか、接着されるか、およびまたは固定されるが、固定具９０３Ａ、９０３Ｂ、９０３Ｃ、およびまたは９０３Ｄ（集合的には９０３）により固定される。いくつかの実施形態では、１つの固定具を利用することができ、他の実施形態では、２つ以上の固定具９０３を利用することができる。バックプレート９０４は、コンセント開口部９１０Ａ、およびコンセント開口部９１０Ｂ（集合的には９１０）を形成する。コンセント開口部９１０は、スイッチ開口部、ケーブルコネクタ開口部、オーディオ，ビデオコネクタ開口部、およびまたは、様々なコネクタおよびまたは物体のための他の開口部である。コンセントカバー９００Ｂは、コンセントカバー９００Ｂにより形成される固定開口部９１２を介して固定具（図示せず）によりコンセント装置（図示せず）に固定される。コンセントカバー９００Ｂは、バックプレート９０４から後方に延びるアーム９０６Ａ、およびまたは９０６Ｂ（集合的には９０６）を有する。
【００４４】
コンセントカバー９００Ｂは、第１のスイッチ９４０Ａおよび第２のスイッチ９４０Ｂを有する。少なくとも１つの実施形態では、第１のスイッチ９４０Ａを利用して、コンセントカバー９００Ｂがどの動作モードで動作しているかを知ることができる。例えば、コンセントカバー９００Ｂは、部屋およびまたはコンセントカバー９００Ｂの場所での照明レベルが閾値を下回ったときに照明をオンにする常夜灯モードと、コンセント装置で電力が検出されずかつ照明レベルが閾値を下回るときに照明をオンにする非常灯モードとで動作することができる。第２のスイッチ９４０Ｂは、方向インジケータ（図示せず）がどの方向を示しているかを表示する。例えば、スイッチ９４０Ｂは、右矢印が示される右または第１の位置、両方向が示される第２または中立位置、および左矢印が示される左又は第３の位置にある。これらの方向は、説明を目的としたものであり、右の位置は左矢印を示し、左の位置は右矢印を示す。
【００４５】
図１０は、コンセントカバー１０００の正面図である。コンセントカバー１０００は、フェースプレート１００２を含む。フェースプレート１００２は、角度部１０２４、１０２６、１０２８、およびまたは１０３０を有する。角度部１０２４、１０２６、１０２８、およびまたは１０３０は、支持部、および光源１０１４、インジケータ１０２０、センサ１０２２およびまたは他の回路のためのハウジングを提供する。コンセントカバー１０００は、支持を提供する平坦部１０３２およびまたは１０３４、ならびに方向インジケータ１０８１Ａおよびまたは１０８１Ｂ（集合的には１０８１）およびまたは方向インジケータ１０８２Ａおよびまたは１０８２Ｂ（集合的には１０８２）のためのハウジングを有する。
【００４６】
角度部および平坦部は、コンセント開口部１０１０Ａおよびまたは１０１０Ｂを形成する。少なくとも１つの例では、コンセントカバー１０００は、固定開口部１０１２を介して固定具（図示せず）により固定される。コンセントカバー１０００は、コンセントカバー１０００がいつ電源に接続されているかをユーザが知ることを可能にするインジケータ１０２０を有する。例えば、コンセントカバー１０００が電源に接続されている場合、インジケータは緑色に変わるが、コンセントカバー１０００が電源に接続されていないか停電である場合、インジケータは赤色または消灯する。コンセントカバー１０００は、周囲光を検出するためのセンサ１０２２を有する。例えば、部屋の光がセンサ１０２２に記録およびまたは感知された閾値レベルを超える場合、光源１０１４をオフにすることができる。あるいは、部屋または場所の光がセンサ１０２２に記録およびまたは感知された閾値レベルを下回った場合、光源１０１４をオンにすることができる。少なくとも１つの実施形態では、光源１０１４がオンになると、１つまたは複数の方向インジケータ１０８０、およびまたは１０８１も作動する。別の例では、センサ１０２２として、始動時（空気品質が閾値を下回っているか、煙感知器が閾値を超える煙を検出したとき）に両方向インジケータ１０８０，１０８１1がオンになるような、煙センサ、空気品質センサなどの環境品質センサを含む。ユーザ（図示せず）は、単一方向、右方向インジケータ１０８０Ａおよびまたは１０８１Ａ、左方向インジケータ１０８０Ｂおよびまたは１０８１Ｂ、または両方向の方向インジケータ１０８０Ａ、１０８０Ｂ、１０８１Ａ、および１０８１Ｂを選択できる。コンセントカバー１０００は、停電時、またはユーザ（図示せず）に通知すべき環境条件であることを示すため、可聴式のアラームまたは音を生成するサウンドエミッタ１０４１を有する。たとえば、火災や煙が検出されたときである。
【００４７】
図１１は、コンセントカバーシステム１１００のブロック図である。コンセントカバーシステム１１００は、一実施形態では交流またはＡＣ電源である入力電源１１０２を有する。別の実施形態では、入力電源１１０２は、少なくとも１つの導体（図示せず）によって受信される。入力電源１１０２は、入力電源１１０２からの入力電圧を調節するための電圧調節回路１１０４によって、調節およびまたはＤＣ動作電圧に変換される。電圧調節回路１１０２の出力は調節された電圧１１０６となり、調節された電圧は、電池１１０８、制御回路１１１０、およびまたはスイッチ１１１２に送信されるが、これらに限定されない。電池１１０８は、別の実施形態では、調節された電圧１１０６を利用できる電池充電回路に結合されるか、およびまたは接続される。電池を作動させるか、およびまたは光源と電池１１０８との間の接続または結合を開くことによって、制御回路１１１０により、停電中にコンセントカバーシステム１１１０が光源を提供することを可能にする。制御回路１１１０は、一実施形態では、スイッチ１１１２も含む。
【００４８】
スイッチ１１１２は、電池およびまたは制御回路１１１０をバイパスし、調節された電圧が入力電圧ノード１１１４に渡されることを可能にする。スイッチ１１１２は、光源１１１８、電池１１０８、および調節された電圧１１０６の間の接続を制御することを可能にする。入力電圧ノード１１１４は、センサ１１１６、およびまたは光源１１１８に電圧を提供する。センサ１１１６は、光源１１１８に接続されるスイッチ１１２０に接続され、これらのすべては、接地１１２２に結合される。センサ１１１６として、光センサ、光抵抗器、フォトダイオード、およびまたはフォトトランジスタが挙げられるが、これらに限定されない。センサ１１１６は、スイッチ１１２０を作動させて、光源１１１８を作動させる。方向インジケータ１１１９Ａおよびまたは１１１９Ｂ（集合的には１１１９）は、スイッチ１１２０に結合される。少なくとも１つの実施形態では、方向インジケータ１１１９Ａおよびまたは１１１９Ｂは、光源、およびまたは発光ダイオード（ＬＥＤ）である。しかしながら、他の光源もまた利用される。方向インジケータ１１１９Ａは、少なくとも１つの例では、右方向インジケータであり、方向インジケータ１１１９Ｂは、少なくとも１つの例では、左方向インジケータである。方向インジケータ１１１９は、スイッチ１１２１Ａおよびまたは１１２１Ｂ（集合的には１１２１）によって制御されるか、およびまたは作動する。少なくとも１つの実施形態では、方向インジケータ１１１９は、信号スイッチ１１２１によって制御される。単一のスイッチにより、方向インジケータ１１１９を、右方向のインジケータのみ、左方向のインジケータのみ、または両方向の方向インジケータとして選択することができる。
【００４９】
図１２は、コンセントカバー１２００の正面図である。コンセントカバー１２００は、フェースプレート１２０２を含む。フェースプレート１２０２は、角度部１２２４、１２２６、１２２８、およびまたは１２３０を有する。角度部１２２４、１２２６、１２２８、およびまたは１２３０は、支持部、および光源１２１４、インジケータ１２２０、センサ１２２２、およびまたは他の回路のためのハウジングを提供する。コンセントカバー１２００は、支持を提供する平坦部１２３２、およびまたは１２３４、ならびに方向インジケータ１２８１Ａおよびまたは１２８１Ｂ（集合的には１２８１）およびまたは方向インジケータ１２８２Ａおよびまたは１２８２Ｂ（集合的には１２８２）のためのハウジングを有する。光源１２１４は、電力およびまたは電気エネルギーを受け取りそれを可視波長の光に変換することができる発光ダイオード（ＬＥＤ）または他の光源を含む。光源１２１４は、コンセントカバー１２００の底部に沿って延在し、コンセントカバーの両側に沿って延在する。側面に沿って延びる光源１２１４の部分は、壁（図示せず）上に、側面方向インジケータ１２８３Ａおよびまたは１２８３Ｂを放出する。側面方向インジケータ１２８３Ａおよびまたは１２８３Ｂのそれぞれは、個別に使用することも、両インジケータを共に使用することもでき、スイッチまたは方向制御スイッチ（図示せず）によって作動する。少なくとも１つの例では、コンセントカバー１２００は、１つまたは複数の平坦部または角度部により形成されるテスト装置１２９１Ａ、１２９１Ｂ、およびまたは１２９１Ｃ（集合的には１２９１）を有する。テスト装置１２９１により、テスト装置（図示せず）が、コンセントカバー１２００に結合された電源の強度を検証するために利用される。
【００５０】
角度部および平坦部は、コンセント開口部１２１０Ａおよびまたは１２１０Ｂを形成する。少なくとも１つの例では、コンセントカバー１２００は、固定開口部１２１２を通して固定具（図示せず）により固定される。コンセントカバー１２００は、コンセントカバー１２００がいつ電源に接続されているかをユーザが知ることを可能にするインジケータ１２２０を有する。例えば、コンセントカバー１２００が電源に接続されている場合、インジケータ１２２０は緑色に変わるが、コンセントカバー１２００が電源に接続されていないか停電である場合、インジケータ１２２０は赤色または消灯する。コンセントカバー１２００は、周囲光を検出するためのセンサ１２２２を有する。例えば、部屋の光がセンサ１２２２に記録およびまたは感知された閾値レベルを超える場合、光源１２１４をオフにすることができる。あるいは、部屋または場所の光がセンサ１２２２に記録およびまたは感知された閾値レベルを下回った場合、光源１２１４をオンにすることができる。
【００５１】
少なくとも１つの実施形態では、光源１２１４がオンになると、１つまたは複数の方向インジケータ１２８０およびまたは１２８１も作動する。別の例では、センサ１２２２として、始動時（空気品質が閾値を下回っているか、煙感知器が閾値を超える煙を検出したとき）に両方向インジケータ１２８０および１２８１がオンになるような、煙、空気品質センサなどの環境品質センサを含む。ユーザ（図示せず）は、単一方向、右方向インジケータ１２８０Ａおよびまたは１２８１Ａ、左方向インジケータ１２８０Ｂおよびまたは１２８１Ｂ、または両方向の方向インジケータ１２８０Ａ、１２８０Ｂ、１２８１Ａ、および１２８１Ｂを選択することができる。コンセントカバー１２００は、停電時、またはユーザ（図示せず）に通知すべき環境条件であることを示すため、可聴式のアラームまたは音を生成するサウンドエミッタ１２４１を有する。たとえば、火災や煙が検出されたときである。少なくとも１つの例では、方向インジケータ１２８１およびまたは１２８３、光源１２１４、インジケータ１２２０は、可視光スペクトルにおいて様々な色である。例えば、光源１２１４は、白色である光出力を提供する一方で、方向インジケータ１２８１およびまたは１２８３は、赤または白である。
【００５２】
図１３Ａは、コンセントカバー用の光源１３１４の図である。光源１３１４は、光がレンズ１３４６を通過可能にする電球１３４４Ａ、１３４４Ｂ、およびまたは１３４４Ｃを有する。少なくとも１つの例では、電球１３４４Ａ、１３４４Ｂ、およびまたは１３４４Ｃは、発光ダイオード（ＬＥＤ）である。また、光源１３１４は、インジケータ電球１３８６Ａおよびまたは１３８６Ｂを有する。インジケータ電球は、矢印レンズ１３８５Ａおよびまたは１３８５Ｂを通過する。インジケータ電球１３８６および矢印レンズ１３８２の一方または両方を利用して、停電または他の事象の場合、特定の方向でユーザに信号を送信する。光源１３１４は、光源をコンセントカバー（図示せず）に固定するか、およびまたはコンセントカバー内に固定するためのクリップ１３４２Ａおよびまたは１３４２Ｂを有する。
【００５３】
図１３Ｂは、コンセントカバー用の拡張光源１３１４の図である。光源１３１４は、光がレンズ１３４６を通過することを可能にする電球１３４４Ａ、１３４４Ｂ、およびまたは１３４４Ｃを有する。少なくとも１つの例では、電球１３４４Ａ、１３４４Ｂ、およびまたは１３４４Ｃは、発光ダイオード（ＬＥＤ）である。光源１３１４は、インジケータ電球１３８８Ａおよびまたは１３８８Ｂを有する。光源１３１４は、光源１３１４がコンセントカバー（図示せず）の側面に沿って延びることを可能にする、延長部１３８７Ａおよびまたは１３８７Ｂを有する。延長部１３８７Ａおよびまたは１３８７Ｂは、インジケータ電球１３８８Ａおよびまたは１３８８Ｂ（総称して１３８８）を含む。少なくとも１つの例では、インジケータ電球１３８８は、発光ダイオード（ＬＥＤ）または他の発光デバイスである。光源１３１４は、光源をコンセントカバー（図示せず）に固定するか、およびまたはコンセントカバー内に固定するためのクリップ１３４２Ａおよびまたは１３４２Ｂを有する。
【００５４】
本開示は、好ましい実施形態を参照して特に示され、説明されてきたが、本発明の精神および範囲から逸脱することなく、形態および詳細の様々な変更を行うことができることは、当業者によって理解される。本発明者らは、当業者がそのような変形を適切に使用することを期待し、本発明者らは、本明細書に具体的に記載されている以外の方法で開示が実施されることを意図している。したがって、本開示は、適法によって許可されるように、本明細書に添付された特許請求の範囲に記載された主題のすべての修正および同等物を含む。さらに、そのすべての可能な変形における上記の要素の任意の組み合わせは、本明細書に別段の指示がない限り、または文脈によって明らかに矛盾しない限り、本発明に含まれる。
【００５５】
本明細書に開示される原理による様々な実施形態が上で説明されてきたが、それらは単なる例として提示されたものであり、限定ではないことを理解すべきである。したがって、本開示の範囲は、上記の例示的な実施形態のいずれかによって制限されるべきではなく、本開示から発行される請求項およびそれらの同等物に従ってのみ定義されるべきである。さらに、上記の利点および特徴は、記載された実施形態で提供されるが、そのような発行された請求項の適用を、上記の利点のいずれかまたはすべてを達成するプロセスおよび構造に限定してはならない。
【００５６】
さらに、本明細書のセクション見出しは、３７ Ｃ．Ｆ．Ｒ．１．７７に従い提供され、それ以外の場合は組織的な手がかりを提供するためのものである。これらの見出しは、本開示から発行されるクレームに記載の発明を制限または特徴づけてはならない。具体的には、例として、見出しは「技術分野」に言及しているが、クレームは、いわゆる分野を説明するためにこの見出しの下で選ばれた文言によって制限されるべきではない。さらに、背景情報としての技術の説明は、特定の技術が本開示における任意の実施形態の先行技術であることを認めるものとして解釈されるべきではない。また、「簡単な要約」は、発行された請求項に記載された実施形態の特徴と見なされるべきではない。さらに、本開示における単数形の「発明」への言及は、本開示において新規性の単一の点しかないことを主張するために使用されるべきではない。本開示から発行される複数の請求項の制限に従って複数の実施形態を説明することができ、したがって、そのような請求項は、それによって保護される実施形態およびそれらの同等物を定義する。すべての場合において、そのようなクレームの範囲は、この開示に照らしてそれ自体のメリットで考慮されるものとするが、本明細書に記載された見出しによって制約されるべきではない。
【図１Ａ】
2021518642.tif 000003
【図１Ｂ】
2021518642.tif 000004
【図２】
2021518642.tif 000005
【図３】
2021518642.tif 000006
【図４】
2021518642.tif 000007
【図５】
2021518642.tif 000008
【図６Ａ】
2021518642.tif 000009
【図６Ｂ】
2021518642.tif 000010
【図７】
2021518642.tif 000011
【図８Ａ】
2021518642.tif 000012
【図８Ｂ】
2021518642.tif 000013
【図９Ａ】
2021518642.tif 000014
【図９Ｂ】
2021518642.tif 000015
【図１０】
2021518642.tif 000016
【図１１】
2021518642.tif 000017
【図１２】
2021518642.tif 000018
【図１３Ａ】
2021518642.tif 000019
【図１３Ｂ】
2021518642.tif 000020
【手続補正書】
【提出日】令和2年11月27日(2020.11.27)
【手続補正１】
【補正対象書類名】特許請求の範囲
【補正対象項目名】全文
【補正方法】変更
【補正の内容】
【特許請求の範囲】
【請求項１】
コンセントカバーであって、
フェースプレート及びバックプレートと、
前記バックプレートから延び、導電体を有する少なくとも１つのアームと、
周囲光を検出するためのセンサと、
前記コンセントカバーに取り付けられ、少なくとも１つの方向インジケータを含む光源と、
前記光源に結合され、少なくとも２つの動作モードを有する制御回路と、
前記制御回路に結合され、少なくとも２つの動作モードを切り替えるためのスイッチとを備え、
少なくとも２つの動作モードは、非常灯モードと常夜灯モードであり、
常夜灯モードの間、非常灯モードが利用され続ける、コンセントカバー。
【請求項２】
請求項１に記載のコンセントカバーにおいて、
前記バックプレートは、前記フェースプレートに取り外し可能に結合されている、コンセントカバー。
【請求項３】
請求項１に記載のコンセントカバーにおいて、
前記フェースプレートおよび前記バックプレートは、少なくとも１つのコンセント開口部を形成する、コンセントカバー。
【請求項４】
請求項１に記載のコンセントカバーにおいて、
少なくとも１つのアームは、前記バックプレートに取り外し可能に結合されている、コンセントカバー。
【請求項５】
請求項１に記載のコンセントカバーにおいて、
前記導電体は、前記制御回路に結合されている、コンセントカバー。
【請求項６】
請求項１に記載のコンセントカバーにおいて、
前記センサは、フォトダイオードである、コンセントカバー。
【請求項７】
請求項１に記載のコンセントカバーにおいて、
前記光源は、レンズに接続されている、コンセントカバー。
【請求項８】
請求項１に記載のコンセントカバーにおいて、
前記光源は、更に、少なくとも１つのＬＥＤを含む、コンセントカバー。
【請求項９】
請求項１に記載のコンセントカバーは、更に、
サウンドエミッタを含む、コンセントカバー。
【請求項１０】
請求項１に記載のコンセントカバーは、更に
前記制御回路に結合された電池を備える、コンセントカバー。
【請求項１１】
請求項１に記載のコンセントカバーは、更に、
少なくとも１つの方向インジケータの方向を選択するための第２のスイッチを備える、コンセントカバー。
【請求項１２】
請求項１１に記載のコンセントカバーにおいて、
前記第２のスイッチは、少なくとも１つの方向インジケータについて、右、左、または両方から選択する、コンセントカバー。
【請求項１３】
コンセントカバーシステムであって、
入力電源から電圧を受け取るための少なくとも１つの導電体と、
前記入力電源からの電圧を調節し、調節された電圧を生成するための電圧調節回路と、
調節された電圧からエネルギを蓄えるための電池と、
制御回路によって電池および調節された電圧に接続された光源であって、少なくとも１つの方向インジケータを含む光源と、
前記制御回路に結合され、環境条件を検出するための少なくとも１つのセンサと、
前記制御回路に接続され、前記光源、前記電池、および前記調節された電圧の間の接続を制御するためのスイッチと、
少なくとも１つの方向インジケータの方向を選択するための第２のスイッチと
備える、コンセントカバーシステム。
【請求項１４】
請求項１３に記載のコンセントカバーシステムにおいて、
前記電圧調節回路は、電圧調節器を含む、コンセントカバーシステム。
【請求項１５】
請求項１３に記載のコンセントカバーシステムにおいて、
前記少なくとも１つの導電体は、前記電圧調節回路に結合されている、コンセントカバーシステム。
【請求項１６】
請求項１３に記載のコンセントカバーシステムにおいて、
前記調節された電圧は、ＤＣ電圧である、コンセントカバーシステム。
【請求項１７】
請求項１３に記載のコンセントカバーシステムにおいて、
前記制御回路は、少なくとも２つの動作モードを有する、コンセントカバーシステム。
【請求項１８】
請求項１７に記載のコンセントカバーシステムにおいて、
前記少なくとも２つの動作モードは、非常灯モードおよび常夜灯モードである、コンセントカバーシステム。
【請求項１９】
請求項１８に記載のコンセントカバーシステムにおいて、
前記非常灯モードは、更に、前記電池を前記光源に結合することを含む、コンセントカバーシステム。
【国際調査報告】
2021518642.tif 000021